(57)【要約】【課題】多大のエネルギーを要することなく自動車塗装設備、自動車部品塗装設備等から排出される多量の排水を処理できる、無排水式の塗装設備排水処理方法を提供する。【解決手段】前処理装置と電着装置とを含む塗装設備から排出される排水処理方法であって、蒸発濃縮法以外の方法で排水を一次処理し、一次処理後の排水を逆浸透法により二次処理し、二次処理時の透過水を逆浸透法により三次処理して純水と中水とを製造し、二次処理時に排出される濃縮水を蒸発濃縮して濃縮水から固形物を分離する。【選択図】　図１
2004016829.tif 000002
【特許請求の範囲】
【請求項１】
前処理装置と電着装置とを含む塗装設備から排出される排水の処理方法であって、蒸発濃縮法以外の方法で排水を一次処理し、一次処理後の排水を逆浸透法により二次処理し、二次処理時の透過水を逆浸透法により三次処理して純水と中水とを製造し、二次処理時に排出される濃縮水を蒸発濃縮して濃縮水から固形物を分離することを特徴とする塗装設備排水処理方法。
【請求項２】
凝集法により排水を一次処理することを特徴とする請求項１に記載の塗装設備排水処理方法。
【請求項３】
凝集法と濾過法との組み合わせにより、又は凝集法と吸着法との組み合わせにより、又は凝集法と濾過法と吸着法との組み合わせにより、排水を一次処理することを特徴とする請求項１に記載の塗装設備排水処理方法。
【請求項４】
塗装設備の乾燥炉の廃熱を、二次処理時に排出される濃縮水を蒸発濃縮する際の熱源として利用することを特徴とする請求項１乃至３の何れか１項に記載の塗装設備排水処理方法。
【発明の詳細な説明】
【０００１】
【発明の属する技術分野】
本発明は、前処理装置と電着装置とを含む塗装設備の排水を処理する方法に関するものである。
【０００２】
【従来の技術】
前処理装置と電着装置とを含む塗装設備の排水は、一般に凝集法により処理された後、外部環境中へ放流されている。環境保全を促進すべく、蒸発濃縮法により塗装設備の排水の全量を処理する、外部環境中への排水の放流を伴わない、無排水式の塗装設備排水処理方法が、近年採用されるようになった。
【０００３】
【発明が解決しようとする課題】
自動車塗装設備、自動車部品塗装設備等から排出される多量の排水を蒸発濃縮法で全量処理すると、多大のエネルギーが必要となる。
本発明は上記問題に鑑みてなされたものであり、多大のエネルギーを要することなく自動車塗装設備、自動車部品塗装設備等から排出される多量の排水を処理できる、無排水式の塗装設備排水処理方法を提供することを目的とする。
【０００４】
【課題を解決するための手段】
上記課題を解決するために、本発明においては、前処理装置と電着装置とを含む塗装設備から排出される排水の処理方法であって、蒸発濃縮法以外の方法で排水を一次処理し、一次処理後の排水を逆浸透法により二次処理し、二次処理時の透過水を逆浸透法により三次処理して純水と中水とを製造し、二次処理時に排出される濃縮水を蒸発濃縮して濃縮水から固形物を分離することを特徴とする塗装設備排水処理方法を提供する。
本発明においては、排水の三次処理により製造された純水と中水とは塗装設備の洗浄水として再利用され、排水の二次処理時に排出される濃縮水は蒸発濃縮されて水蒸気と固形物とに分離されるので、塗装設備の排水は外部環境中に放流されない。従って、本発明により、無排水式の塗装設備排水処理方法が提供される。
本発明においては、排水の一次処理は濃縮蒸発法以外の方法で行い、蒸発濃縮法による排水処理は二次処理時に排出される濃縮水のみを対象とするので、処理される排水の全量に対する蒸発濃縮法による排水処理量の割合は少ない。従って、自動車塗装設備、自動車部品塗装設備等から排出される多量の排水を本発明に係る方法で処理しても、多大のエネルギーを要しない。
排水の三次処理により製造された純水と中水とを塗装設備の洗浄水として再利用することにより、市水、工業用水、純水の外部からの補給量を削減できる。
【０００５】
本発明の好ましい態様においては、凝集法により排水を一次処理する。
塗装設備排水を凝集法により一次処理すると、逆浸透膜を閉塞させる夾雑物を排水から効率良く除去することができる。
【０００６】
本発明の好ましい態様においては、凝集法と濾過法との組み合わせにより、又は凝集法と吸着法との組み合わせにより、又は凝集法と濾過法と吸着法との組み合わせにより、排水を一次処理する。
凝集法と濾過法とを組み合わせることにより、又は凝集法と吸着法とを組み合わせることにより、又は凝集法と濾過法と吸着法とを組み合わせることにより、排水からの夾雑物の除去率を高めることができる。
【０００７】
本発明の好ましい態様においては、塗装設備の乾燥炉の廃熱を、二次処理時に排出される濃縮水を蒸発濃縮する際の熱源として利用する。
塗装設備の乾燥炉の廃熱を、二次処理時に排出される濃縮水を蒸発濃縮する際の熱源として利用することにより、排水処理に要するエネルギーを削減することができる。
【０００８】
【発明の実施の形態】
本発明の実施例に係る塗装設備排水処理方法を説明する。
塗装設備Ａは、予備脱脂槽１と、脱脂槽２と、第１水洗槽３と、第２水洗槽４と、表面調整槽５と、被膜化成槽６と、第３水洗槽７と、第４水洗槽８と、第５水洗槽９とを有する前処理装置と、図示しない電着装置とを備えている。電着装置は、隔膜法による浴ｐＨ調整のための図示しない隔膜室と、当該隔膜室からの排水である電着装置極液水を貯留する極液水貯槽１０とを備えている。電着装置極液水は、極液水貯槽１０と前記隔膜室との間で循環している。
【０００９】
第１水洗槽３、表面調整槽５、第３水洗槽７の上部から常時排出される排水と、極液水貯槽１０の上部から常時排出される極液水とが、塗装設備Ａの常時排水を形成している。常時排水は常時排水ピット１１に貯留される。
予備脱脂槽１、脱脂槽２、第１水洗槽３、第２水洗槽４、表面調整槽５、被膜化成槽６、第３水洗槽７、第４水洗槽８、第５水洗槽９の底部から定期的に排出される排水と、極液水貯槽１０の底部から定期的に排出される極液水と、電着装置を構成する電着槽、水洗槽の底部から定期的に排出される排水とが、塗装設備Ａの一時排水を形成している。一時排水は一時排水ピット１２に貯留され、一時排水ピット１２から常時排水ピット１１へ少量ずつ常時排出される。
【００１０】
排水は、常時排水ピット１１から所定流量で常時排出され、反応槽とｐＨ調整槽と凝集槽と沈殿槽と砂濾過器と活性炭塔とを有する凝集法による排水処理装置１３へ送られて一次処理される。反応槽とｐＨ調整槽と凝集槽と沈殿槽とを通過して油脂成分や塗料成分や夾雑イオン成分や夾雑浮遊微粒子が除去され、更に砂濾過器と活性炭塔とを通過して夾雑浮遊微粒子が略完全に除去された排水は、中和処理された後、第１ＲＯ装置１４へ送られる。
【００１１】
逆浸透を利用する第１ＲＯ装置１４により排水は二次処理され、排水から塩分が除去される。第１ＲＯ装置１４の透過水は、逆浸透を利用する第２ＲＯ装置１５へ送られて三次処理され、透過水から塩分が更に除去される。第２ＲＯ装置１５の透過水として純水が製造され、第２ＲＯ装置１５から排出される濃縮水として中水が製造される。純水は純水貯槽１６へ送られ、純水貯槽１６から電着装置の最終水洗装置、極液水貯槽１０、前処理装置の最終水洗装置へ送られる。中水は前処理装置の第１水洗装置、第３水洗装置へ送られる。前処理装置の第２水洗装置、表面調整装置、第５水洗装置には、市水、井戸水、工業用水等が外部から供給される。
【００１２】
第１ＲＯ装置１４から排出される濃縮水は、ガスバーナーによるＬＰＧ燃焼熱に加えて、塗装設備Ａの焼付乾燥炉廃熱、塗装設備Ａを含む工場の水切乾燥炉廃熱、ボイラー廃熱等をも熱源として利用する省エネルギータイプの蒸発濃縮装置１７へ送られ、更に濃縮されて水蒸気とスラッジとに分離される。
スラッジは乾燥機１８へ送られて乾燥粉末化され、工業廃棄物として廃棄される。
【００１３】
本実施例に係る塗装設備排水処理方法においては、塗装設備Ａの排水の三次処理により製造された純水と中水とは塗装設備Ａの洗浄水として再利用され、塗装設備Ａの排水を二次処理する際に排出される濃縮水は蒸発濃縮されて水蒸気とスラッジとに分離されるので、塗装設備Ａの排水は外部環境中に放流されない。従って、本実施例に係る塗装設備排水処理方法は、環境保全を促進する無排水式の塗装設備排水処理方法である。
本実施例に係る塗装設備排水処理方法においては、塗装設備Ａの排水の一次処理は蒸発濃縮法以外の方法で行い、蒸発濃縮法による排水処理は二次処理時に排出される濃縮水のみを対象とするので、処理される排水の全量に対する蒸発濃縮法による排水処理量の割合は少ない。従って、自動車塗装設備、自動車部品塗装設備等から排出される多量の排水を本実施例に係る方法で処理しても、多大のエネルギーを要しない。
排水の三次処理により製造された純水と中水とを塗装設備Ａの洗浄水として再利用することにより、塗装設備Ａへの市水、工業用水、純水の外部からの補給量を削減できる。
【００１４】
本実施例に係る塗装設備排水処理方法においては、塗装設備Ａの排水を凝集法により一次処理して、第１ＲＯ装置１４に使用される逆浸透膜を閉塞させる夾雑物を排水から効率良く除去している。
凝集法により処理された排水は、外部環境へ放流されないので、外部環境へ放流することを前提として構成される従来の凝集法実施設備に比べて、本実施例における凝集法実施設備は、簡易なもので良い。
【００１５】
本実施例に係る塗装設備排水処理方法においては、凝集法と濾過法と吸着法との組み合わせて排水を一次処理することにより、排水からの夾雑物の除去率を高めている。
【００１６】
本実施例に係る塗装設備排水処理方法においては、塗装設備Ａの焼付乾燥炉廃熱、塗装設備Ａを含む工場の水切乾燥炉廃熱、ボイラー廃熱等を、二次処理時に排出される濃縮水を蒸発濃縮する際の熱源として利用することにより、排水処理に要するエネルギーを削減している。
【００１７】
本発明の実施例に係る塗装設備排水処理方法を説明したが、本発明は上記実施例に限定されない。
凝集法と濾過法とを組み合わせて排水の一次処理を行っても良く、凝集法と吸着法とを組み合わせて排水の一次処理を行っても良く、或いは凝集法のみで排水の一次処理を行っても良く、或いは油脂成分や塗料成分や夾雑イオン成分や夾雑浮遊微粒子を排水から除去できる蒸発濃縮法以外の方法であって、第１ＲＯ装置１４の逆浸透膜を閉塞させる夾雑物を排水から効率良く除去できる如何なる方法で排水の一次処理を行っても良い。
【００１８】
【発明の効果】
以上説明したごとく、本発明においては、排水の三次処理により製造された純水と中水とは塗装設備の洗浄水として再利用され、排水の二次処理時に排出される濃縮水は蒸発濃縮されて水蒸気と固形物とに分離されるので、塗装設備の排水は外部環境中に放流されない。従って、本発明により、無排水式の塗装設備排水処理方法が提供される。
本発明においては、排水の一次処理は濃縮蒸発法以外の方法で行い、蒸発濃縮法による排水処理は二次処理時に排出される濃縮水のみを対象とするので、処理される排水の全量に対する蒸発濃縮法による排水処理量の割合は少ない。従って、自動車塗装設備、自動車部品塗装設備等から排出される多量の排水を本発明に係る方法で処理しても、多大のエネルギーを要しない。
排水の三次処理により製造された純水と中水とを塗装設備の洗浄水として再利用することにより、市水、工業用水、純水の外部からの補給量を削減できる。
【図面の簡単な説明】
【図１】本発明の実施例に係る塗装設備排水処理方法を実施するための装置のブロック図である。
【符号の説明】Ａ　塗装設備
１３　排水処理装置
１４　第１ＲＯ装置
１５　第２ＲＯ装置
１７　蒸発濃縮装置
１８　スラッジ乾燥機
【図１】
2004016829.tif 000003